(57)【要約】【課題】本発明は、光コネクタ係止具に関し、光プラグコネクタの誤操作・誤挿入を確実に防止することと、作業の確実性と作業能率の向上を図ることが課題である。【解決手段】光コネクタを接続具から脱着させるのを阻止すべく、前記光コネクタに被せられることで当該光コネクタのスライド解除部材が外部から解除作用できないように囲繞する係止具であり、該係止具を構成するハウジングの一部に非接触式メモリー６が埋設されている光コネクタ係止具１とする。【選択図】図１
2007086291.tif 000002
【特許請求の範囲】
【請求項１】
光コネクタを接続具から脱着させるのを阻止すべく、前記光コネクタに被せられることで当該光コネクタのスライド解除部材が外部から解除作用できないように囲繞する係止具であり、該係止具を構成するハウジングの一部に非接触式メモリーが埋設されていること、
を特徴とする光コネクタ係止具。
【請求項２】
係止具を構成するハウジングの一部に、非接触式メモリーからの電力供給により発光する発光部材が埋設されていること、
を特徴とする請求項１に記載の光コネクタ係止具。
【請求項３】
係止具には、光コードに一部が摺動自在に係止して該光コードからの脱落を防止する脱落防止用手段が設けられていること、
を特徴とする請求項１または２に記載の光コネクタ係止具。
【発明の詳細な説明】
【技術分野】
【０００１】
本発明は、光コネクタ接続構造における、例えば、光プラグの接続用アダプタからの抜けを防止する光コネクタ係止具に関するものである。
【背景技術】
【０００２】
従来、光コネクタ係止具２０は、図５に示すように、全体が矩形状体で内部は前後に貫通孔が貫通している筒体２１であり、側壁の１箇所には、光コード２６（図６参照）を前記貫通孔に挿入させるための前後に貫通するスリット２２が設けられている。また、筒内側には、光プラグコネクタ２５（図６参照）のブーツ２７に係合する係止爪２３が設けられている。この光コネクタ係止具２０は、図７に示すように、接続用アダプタ２４に挿着された光プラグコネクタ２５が、誤って前記フレーム２５ａが後退させられて、ハウジング２５ｂとともにアダプタ２４から脱着されるのを防止するためのものである。
【０００３】
図７に示すように、前記光コネクタ係止具２０は、光コード２６側でスリット２２を利用して当該光コード２６に挿着し、それをケーブル用のブーツ２７から前進させて光プラグコネクタ２５に被せ、ブーツ２７に係止爪２３を係合させる。これにより、前記ブーツ２７と前記光コネクタ係止具２０との係止作用がなされ、且つ、脱着用のフレーム２５ａに外部から触ることができないので、前記アダプタ２４から光プラグコネクタ２５の脱着が防止されるものである（特許文献１参照）。
【０００４】
また、従来では、個別の識別情報を記録するメモリ機能を光コネクタに備えたものが知られている（特許文献２参照）。これは、光コネクタの光接続部を収容しているハウジングの外形構造を利用して、取り付けられるようにしたメモリ機能部により、光コネクタの個別管理を行うものである。
【特許文献１】特開平０２−２０８１１号公報
【特許文献２】特開２００３−２０７６８６号公報
【発明の開示】
【発明が解決しようとする課題】
【０００５】
しかし、従来の光コネクタ係止具では、光プラグを配線している装置には、多数の光コードが集中しており、また、光プラグが手の届きにくいところに有ることが多く、操作性及び視認性が悪いので、抜いて良い光プラグと使用中で抜いてはいけない光プラグとの区別が困難となり、混在している場合があって確認作業を慎重に行わなければ成らず、作業ミスの被害が大きいので作業者の心理的負担は極めて大きい。更に、光コネクタにメモリ機能を備えたものは、抜いてはいけない光プラグを抜いてしまう可能性は低くなるが、それでも、多数ある光プラグの中で、作業中に抜く対象の光プラグから一瞬でも目を離したりすると、安全のため再び確認作業をしなければ成らず、作業に手間が掛かる。そして、既存の光コネクタに前記メモリ機能を、追加的に容易に備えることができない。
【０００６】
更に、前記光コネクタ係止具でも、装置に多数の光プラグがあってそれに取り付けられていると、視認性が悪いので他と区別することが困難であることに変わりはない。しかも、この係止具は、一旦、光プラグから外すと光コードから完全に抜けてしまい、紛失のおそれがあり他の係止具と区別ができなくなる。本発明に係る光コネクタ係止具は、このような課題を解決するために提案されたものである。
【課題を解決するための手段】
【０００７】
本発明に係る光コネクタ係止具の上記課題を解決して目的を達成するための要旨は、光コネクタを接続具から脱着させるのを阻止すべく、前記光コネクタに被せられることで当該光コネクタのスライド解除部材が外部から解除作用できないように囲繞する係止具であり、該係止具を構成するハウジングの一部に非接触式メモリーが埋設されていることである。
【０００８】
また、前記係止具を構成するハウジングの一部に、非接触式メモリーからの電力供給により発光する発光部材が埋設されていること、；
係止具には、光コードに一部が摺動自在に係止して該光コードからの脱落を防止する脱落防止用手段が設けられていること、；
を含むものである。
【発明の効果】
【０００９】
本発明の光コネクタ係止具によれば、例えば、装置から抜き出す特定の光コードの識別が容易になるばかりでなく、この光コネクタ係止具を光プラグから外すことで、その後に、目を離しても前記特定された光コードは前記係止具が外れているので、他の光コードと区別され容易に確認することができる。
【００１０】
また、その際に、前記光コネクタ係止具には、脱落防止用手段が設けられているので、光コードにぶら下がり、落下してしまうことがなく紛失のおそれもない。よって、一度に、多数の光コネクタ係止具を外しても、それらの光コネクタ係止具が混ざることが無く、識別が容易で作業能率が向上する。
【００１１】
更に、この係止具に発光部材が埋設されていることで、装置が薄暗い場所に設置されている場合でも、前記係止具の発光部材が発光するので、作業すべき光プラグを容易に確認することができる。
【００１２】
光コネクタ係止具に非接触式メモリーが設けられているので、既存の装置に挿着されている光プラグに対して、後から容易にこの光コネクタ係止具を前記光プラグに取り付けることができる。
【発明を実施するための最良の形態】
【００１３】
本発明に係る光コネクタ係止具１は、図１に示すように、全体が矩形状体で内部は前後に貫通孔２ａが貫通している筒体２であり、側壁３の１箇所には、光コードを前記貫通孔２ａに挿入させるための前後に貫通するスリット４が設けられている。また、筒内側には、光プラグコネクタ２５のブーツ２７（図３（Ａ）参照）に係合しその断面が半円弧状の係止爪５が設けられている。
【００１４】
更に、この光コネクタ係止具１の合成樹脂製ハウジング１ａには、非接触式メモリー６が一個以上埋設されている。これは、非接触式メモリー６用の収納凹部１ｂを前記ハウジング１ａに形成しておき、前記非接触式メモリー６をこの収納凹部１ｂに収納した後に、封止材７で封止される。
【００１５】
また、前記ハウジング１ａには、発光ダイオード等の発光部材８が埋設されている。この発光部材８は、図２に示すように、前記非接触式メモリー６と電気的に接続されている。この非接触式メモリー６は、例えば、作業者が持つ読取装置９が、ある範囲内の距離に接近すると、前記アンテナ部９ａからの電磁波を当該非接触式メモリー６のアンテナ部６ａで受信することで、電磁誘導結合によって電力が発生し、その電力がＩＣチップのメモリ・制御部６ｂに供給される。
【００１６】
前記メモリ・制御部６ｂによって、管理番号等の個体の識別情報（配線の名前、接続先、光学的特性、作業履歴等）が前記読取装置９にアンテナ部６ａを介して伝達され、他のコンピュータ上にデータベースとして蓄積することができる。
【００１７】
逆に、作業日時や作業者、作業内容等の情報を、前記読取装置９から前記非接触式メモリー６に書き込むこともできるので、情報の追加や更新が可能である。一方、前記読取装置９からの発光命令により、前記メモリ・制御部６ｂ及び発光部材駆動部６ｃを介して、発光部材８に電力が供給されてこれを点灯させる。
【００１８】
更に、この光コネクタ係止具１には、図３（Ａ），（Ｂ）に示すように、光コード２６に一端を摺動自在に繋着する脱落防止用手段としての紐１０が設けられている。この紐１０は、図３（Ｂ）に示すように、光コネクタ係止具１と別体の合成樹脂製の紐部材である他に、当該光コネクタ係止具１の端部から細く伸ばして紐状にして一体に紐１０を形成する場合もある。
【００１９】
この紐１０の他端は光コネクタ係止具１のハウジング１ａの端部に突設された係止部１ｃに繋着されている。紐１０を光コード２６に繋着させるには、図３（Ａ）に示すように、簡単に係合させることが出来て、且つ、容易に脱落しないように、合成樹脂製の捻れ部にした繋着部や、光コード用の貫通孔に外部に至るコード差し込み用の切れ目を入れた繋着部等にすることができる。また、貫通孔や捻れ部の輪の大きさは、遊嵌状態で自由に摺動するような大きさとする。
【００２０】
前記紐１０があることで、光コネクタ係止具１を光プラグコネクタ２５から外しても、この係止具１が落下することなく、光コード２６にぶら下がっているものである。また、紐１０の繋着部１０ａも、捻れ部にしたりするなど光コード２６に簡単に後付けが可能なので、光コード２６の端部からコード用貫通孔に差し込む必要が無く、後から、任意に取り付けることができる。こうして、光コネクタ係止具１は、ハウジング１ａにスリット４があり、紐１０の繋着部１０ａには捻れ部や切れ目があるので、既存の光プラグコネクタ２５に対して、後から取り付けることができる。
【００２１】
このほか、脱落防止用手段の他の実施例として、例えば、図４（Ａ）〜（Ｄ）に示すように、光コネクタ係止具１のハウジング１ａにおける一端側に、周方向に沿って円形状の凹溝１ｄを設けて、スリット４の幅に合うカット部を有する丸型Ｃ型リング１０ａを、周方向にスライド自在に嵌着させる構成が提案される。最初は、図４（Ｄ）に示すこのＣ型リング１０ａのカット部１０ｂを、前記スリット４の位置に合わせて、凹溝１ｄに装着し、光コード２６を貫通孔２ａに挿通させてから後に、丸型Ｃ型リング１０ａを周方向に廻して、例えば、図４（Ａ）に示すように、カット部１０ｂをスリット４と反対側に持ってくることで、この光コネクタ係止具１が光コード２６から脱落しないようにするものである。
【００２２】
また、図４（Ｅ）〜（Ｇ）に示すように、光コネクタ係止具１のハウジング１ａにおける一端側に、周方向に沿って角型凹溝１ｅを設け、ここに、図４（Ｈ）に示す角型Ｃリング１０ｃを、嵌着させるものである。この場合には、光コード２６を貫通孔２ａに挿通させてコネクタ係止具１を光コード２６に嵌装させた後に、前記角型Ｃリング１０ｃを角型凹溝１ｅに若干広げて嵌装させるものである。これにより、光コネクタ係止具１のスリット４の一部が塞がれることで、この光コネクタ係止具１が光コード２６から脱落しないようにするものである。
【００２３】
このような光コネクタ係止具１であるので、使用に際しては、図３に示すように、装置等の接続用アダプタ２４に接続する光プラグコネクタ２５に、光コード２６側から光コネクタ係止具１をスリット４に挿通させて貫通孔２ａに接続用アダプタ２４に向かって進ませ、光プラグコネクタ２５のフレーム２５ａに被せる。
【００２４】
前記光コネクタ係止具１の脱落防止手段である紐１０は、その一端を光コード２６に繋着させておく。この状態では、脱着用のフレーム２５ａに手を触れることができない状態なので、光プラグコネクタ２５を接続用アダプタ２４から脱着させることができない。また、作業者が前記光コネクタ係止具１に読取装置９を接近させると、この光コネクタ係止具１の個体識別情報が得られる。
【００２５】
前記識別情報により光接続を解除させる対象の光コード２６であれば、前記光コネクタ係止具１を光プラグコネクタ２５から取り外す。作業者は、光コネクタ係止具１が奥にあって多数の他の光コネクタ係止具と区別しにくく、更に、作業中に目を離し易い場合には、読取装置９から発光信号を送って、前記光係止具１の発光部材８を点灯させる。これによって、外す対象の光コード２６を確認しやすく、誤操作のおそれが無くなる。
【００２６】
前記光コネクタ係止具１が外されたことで、フレーム２５ａのスライドが可能となる。この係止具１は、紐１０等の脱落防止手段により、光プラグコネクタ２５から外された後は前記光コード２６にぶら下がる。そして、前記光プラグコネクタ２５のフレーム２５ａを接続用アダプタ２４から離隔するようにスライド移動させ、ハウジング２５ｂ先端部の係止部と２５ｃ係止爪２４ａとの係止作用を解除させる。そのまま、この光プラグコネクタ２５を離隔させて接続用アダプタ２４から外す。これによって、光接続が解除される。
【００２７】
このようにして、外すべき光コード２６を間違いなく取り外せるようになり、使用中の他の光コードを外してしまうような、誤作業を確実に防止するものである。光コネクタ係止具１の発光部材も点灯させることができるので、薄暗い箇所においても確実に光コードを確認することができる。
【００２８】
作業の完了後に、前記光プラグコネクタ２５を前記接続用アダプタ２４に挿着させ、光コード２６にぶら下がっている光コネクタ係止具１を前記光プラグコネクタ２５に被せるものである。この係止具１がその周囲で多数外されていても、紐１０等の脱落防止手段が当該光コード２６に繋着されているので、誤認して光プラグコネクタ２５に他の光コード２６の係止具１を挿着するようなことが起こり得ないものである。
【図面の簡単な説明】
【００２９】
【図１】本発明に係る光コネクタ係止具１の、平面図（Ａ）、半断面で表す正面図（Ｂ）、側面図（Ｃ），（Ｄ）、底面図（Ｅ）である。
【図２】同本発明の光コネクタ係止具１における非接触式メモリー６の概略構成図である。
【図３】同本発明に係る光コネクタ係止具１の半断面にして示す使用状態説明図（Ａ）と、光コネクタ係止具１に紐１０を設けた場合の実施例の斜視図（Ｂ）である。
【図４】脱落防止手段の他の実施例に係る、平面図（Ａ），半断面にして示す正面図（Ｂ），側面図（Ｃ），丸型Ｃリング１０ａの正面図（Ｄ）、更に他の実施例を示す平面図（Ｅ），正面図（Ｆ），側面図（Ｇ），角型Ｃリング１０ｃの正面図（Ｈ）である。
【図５】従来例に係る光コネクタ係止具２０の正面図（Ａ）と、側方断面図（Ｂ）とである。
【図６】接続用アダプタ２４に光プラグコネクタ２５を接続した状態の説明図である。
【図７】同接続用アダプタ２４に光プラグコネクタ２５を接続した状態に、従来例に係る光コネクタ係止具２０を被せた状態の説明図である。
【符号の説明】
【００３０】
１          光コネクタ係止具、                １ａ        ハウジング、
１ｂ        収納凹部、                        １ｃ        係止部、
１ｄ        凹溝、                            １ｅ        角型凹溝、
２          筒体、                            ２ａ        貫通孔、
３          側壁、
４          スリット、
５          係止爪、
６          非接触式メモリー、                ６ａ        アンテナ部、
６ｂ        メモリ・制御部、                  ６ｃ        発光部材駆動部、
７          封止材、
８          発光部材、
９          読取装置、                        ９ａ        アンテナ部、
１０        紐、                              １０ａ      丸型Ｃリング、
１０ｂ      カット部、                        １０ｃ      角型Ｃリング、  
２０        光コネクタ係止具、                ２１        筒体、
２２        スリット、                        ２３        係止爪、
２４        接続用アダプタ、
２５        光プラグコネクタ、                ２５ａ      フレーム、
２５ｂ      ハウジング、                      ２６        光コード、
２７        ブーツ。
【図１】
2007086291.tif 000003
【図２】
2007086291.tif 000004
【図３】
2007086291.tif 000005
【図４】
2007086291.tif 000006
【図５】
2007086291.tif 000007
【図６】
2007086291.tif 000008
【図７】
2007086291.tif 000009